(57)【要約】【課題】装置から排出されたシートの支持における整列性を確保できるシートトレイ及び搬送装置を提供する。【解決手段】第１トレイ部材６の第１湾曲部６５は第１平坦部の左端部に隣接し、第１平面より下に位置する。第１湾曲部６５の上を向く第１上湾曲面６５Ａと下を向く第１下湾曲面６５Ｂは下向きに凸に湾曲する。搬送時、シートの角部は第１上湾曲面６５Ａの位置に存在し、移動抵抗が軽減される。トレイ収容部５の第１膨出部５０Ａは下向きに凸に湾曲し、下を向く第１上案内面５７Ａを有する。第１突出部５７Ｃは下向きに凸に湾曲し、上を向く第１下案内面５７Ｂを有する。第１トレイ部材６が移動方向に移動するとき、第１上案内面５７Ａと第１下案内面５７Ｂは、第１上湾曲面６５Ａと第１下湾曲面６５Ｂを円弧状の軌道に沿って案内する。第１トレイ部材６は前側を後側より上方に位置することができる。【選択図】図７
2017013952.tif 000002
【特許請求の範囲】
【請求項１】
装置の下部に設けられ、排出口から排出されるシートを支持するシートトレイであって、
収容部と、
前記収容部内に収容された状態において位置する第１位置と、前記収容部から引き出され、前記排出口から排出されるシートを受けられる状態において位置する第２位置との間で移動可能な第１トレイ部材と
を備え、
前記第１トレイ部材は、
前記第１トレイ部材が前記第１位置と前記第２位置との間で移動する方向である移動方向に直交する幅方向において前記第１トレイ部材の中央の位置を含み、前記第１トレイ部材が前記第１位置にあるときに、前記第１位置における前記移動方向である引出方向に延び且つ上を向く第１平面を有する第１平坦部と、
前記第１トレイ部材が前記第１位置にあるときに、下向きに湾曲しながら前記引出方向に延び、前記第１平坦部の前記幅方向の一端に隣接して形成され、且つ前記第１平面よりも下に位置し、上を向く第１上湾曲面と下を向く第１下湾曲面とを有する第１湾曲部と、
前記第１トレイ部材が前記第１位置にあるときに、下向きに湾曲しながら前記引出方向に延び、前記第１平坦部の前記幅方向の他端に隣接して形成され、且つ前記第１平面よりも下に位置し、上を向く第２上湾曲面と下を向く第２下湾曲面とを有する第２湾曲部と
を有し、
前記収容部は、
前記第１上湾曲面に対応して設けられ、前記第１トレイ部材が前記第１位置と前記第２位置との間を移動するときに前記収容部内における前記第１上湾曲面の通過位置を円弧状の軌道に沿って案内する第１上案内部分と、前記第１下湾曲面に対応して設けられ、前記第１トレイ部材が前記第１位置と前記第２位置との間を移動するときに前記収容部内における前記第１下湾曲面の通過位置を円弧状の軌道に沿って案内する第１下案内部分とを有する第１案内部と、
前記第２上湾曲面に対応して設けられ、前記第１トレイ部材が前記第１位置と前記第２位置との間を移動するときに前記収容部内における前記第２上湾曲面の通過位置を円弧状の軌道に沿って案内する第２上案内部分と、前記第２下湾曲面に対応して設けられ、前記第１トレイ部材が前記第１位置と前記第２位置との間を移動するときに前記収容部内における前記第２下湾曲面の通過位置を円弧状の軌道に沿って案内する第２下案内部分とを有する第２案内部と
を有すること
を特徴とするシートトレイ。
【請求項２】
前記第１上案内部分は、前記第１上湾曲面に対応する形状で下向きに湾曲しながら前記引出方向に延び、且つ下を向く第１上案内面を有し、
前記第１下案内部分は、前記第１下湾曲面に対応する形状で下向きに湾曲しながら前記引出方向に延び、且つ上を向く第１下案内面を有し、
前記第２上案内部分は、前記第２上湾曲面に対応する形状で下向きに湾曲しながら前記引出方向に延び、且つ下を向く第２上案内面を有し、
前記第２下案内部分は、前記第２下湾曲面に対応する形状で下向きに湾曲しながら前記引出方向に延び、且つ下を向く第２下案内面を有すること
を特徴とする請求項１に記載のシートトレイ。
【請求項３】
前記第１上湾曲面は、前記第１トレイ部材が前記第１位置にあるときに、前記引出方向に延びて上に突出し、前記第１上案内部分に摺動可能な第１リブを有し、
前記第２上湾曲面は、前記第１トレイ部材が前記第１位置にあるときに、前記引出方向に延びて上に突出し、前記第２上案内部分に摺動可能な第２リブを有すること
を特徴とする請求項１又は２に記載のシートトレイ。
【請求項４】
前記第１トレイ部材内に収容された状態において位置する第３位置と、前記第１トレイ部材から引き出され、前記第１トレイ部材を搬送されたシートを受けられる状態において位置する第４位置との間で移動可能な第２トレイ部材を更に備え、
前記第２トレイ部材は、
前記幅方向において前記第２トレイ部材の中央の位置を含み、前記第１トレイ部材が前記第１位置にあり且つ前記第２トレイ部材が前記第３位置にあるときに、前記引出方向に延び且つ上を向く第２平面を有する第２平坦部と、
前記第１トレイ部材が前記第１位置にあり且つ前記第２トレイ部材が前記第３位置にあるときに、下向きに湾曲しながら前記引出方向に延び、前記第２平坦部の前記幅方向の一端に隣接して形成され、且つ前記第２平面よりも下に位置し、上を向く第３上湾曲面と下を向く第３下湾曲面とを有する第３湾曲部と、
前記第１トレイ部材が前記第１位置にあり且つ前記第２トレイ部材が前記第３位置にあるときに、下向きに湾曲しながら前記引出方向に延び、前記第２平坦部の前記幅方向の他端に隣接して形成され、且つ前記第２平面よりも下に位置し、上を向く第４上湾曲面と下を向く第４下湾曲面とを有する第４湾曲部と
を有し、
前記第１トレイ部材は、
前記第３上湾曲面に対応して設けられ、前記第２トレイ部材が前記第３位置と前記第４位置との間を移動するときに前記第１トレイ部材内における前記第３上湾曲面の通過位置を円弧状の軌道に沿って案内する第３上案内部分と、前記第３下湾曲面に対応して設けられ、前記第２トレイ部材が前記第３位置と前記第４位置との間を移動するときに前記第１トレイ部材内における前記第３下湾曲面の通過位置を円弧状の軌道に沿って案内する第３下案内部分とを有する第３案内部と、
前記第４上湾曲面に対応して設けられ、前記第２トレイ部材が前記第３位置と前記第４位置との間を移動するときに前記第１トレイ部材内における前記第４上湾曲面の通過位置を円弧状の軌道に沿って案内する第４上案内部分と、前記第４下湾曲面に対応して設けられ、前記第２トレイ部材が前記第３位置と前記第４位置との間を移動するときに前記第１トレイ部材内における前記第４下湾曲面の通過位置を円弧状の軌道に沿って案内する第４下案内部分とを有する第４案内部と
を有すること
を特徴とする請求項１から３のいずれかに記載のシートトレイ。
【請求項５】
前記第１トレイ部材が前記第１位置にあるときに、
前記第３上案内部分は、前記第３上湾曲面に対応する形状で下向きに湾曲しながら前記引出方向に延び、且つ下を向く第３上案内面を有し、
前記第３下案内部分は、前記第３下湾曲面に対応する形状で下向きに湾曲しながら前記引出方向に延び、且つ上を向く第３下案内面を有し、
前記第４上案内部分は、前記第４上湾曲面に対応する形状で下向きに湾曲しながら前記引出方向に延び、且つ下を向く第４上案内面を有し、
前記第４下案内部分は、前記第４下湾曲面に対応する形状で下向きに湾曲しながら前記引出方向に延び、且つ下を向く第４下案内面を有すること
を特徴とする請求項４に記載のシートトレイ。
【請求項６】
前記第３上湾曲面は、前記第１トレイ部材が前記第１位置にあり且つ前記第２トレイ部材が前記第３位置にあるときに、前記引出方向に延びて上に突出し、前記第３上案内部分に摺動可能な第３リブを有し、
前記第４上湾曲面は、前記第１トレイ部材が前記第１位置にあり且つ前記第２トレイ部材が前記第３位置にあるときに、前記引出方向に延びて上に突出し、前記第４上案内部分に摺動可能な第４リブを有すること
を特徴とする請求項４又は５に記載のシートトレイ。
【請求項７】
前記第２平面の前記幅方向の長さは、前記第１平面の前記幅方向の長さ以下であることを特徴とする請求項４から６のいずれかに記載のシートトレイ。
【請求項８】
装置の下部に設けられ、排出口から排出されるシートを支持するシートトレイを備えた搬送装置であって、
前記シートトレイは、
収容部と、
前記収容部内に収容された状態において位置する第１位置と、前記収容部から引き出され、前記排出口から排出されるシートを受けられる状態において位置する第２位置との間で移動可能な第１トレイ部材と
を備え、
前記第１トレイ部材は、
前記第１トレイ部材が前記第１位置と前記第２位置との間で移動する方向である移動方向に直交する幅方向において前記第１トレイ部材の中央の位置を含み、前記第１トレイ部材が前記第１位置にあるときに、前記第１位置における前記移動方向である引出方向に延び且つ上を向く第１平面を有する第１平坦部と、
前記第１トレイ部材が前記第１位置にあるときに、下向きに湾曲しながら前記引出方向に延び、前記第１平坦部の前記幅方向の一端に隣接して形成され、且つ前記第１平面よりも下に位置し、上を向く第１上湾曲面と下を向く第１下湾曲面とを有する第１湾曲部と、
前記第１トレイ部材が前記第１位置にあるときに、下向きに湾曲しながら前記引出方向に延び、前記第１平坦部の前記幅方向の他端に隣接して形成され、且つ前記第１平面よりも下に位置し、上を向く第２上湾曲面と下を向く第２下湾曲面とを有する第２湾曲部と
を有し、
前記収容部は、
前記第１上湾曲面に対応して設けられ、前記第１トレイ部材が前記第１位置と前記第２位置との間を移動するときに前記収容部内における前記第１上湾曲面の通過位置を円弧状の軌道に沿って案内する第１上案内部分と、前記第１下湾曲面に対応して設けられ、前記第１トレイ部材が前記第１位置と前記第２位置との間を移動するときに前記収容部内における前記第１下湾曲面の通過位置を円弧状の軌道に沿って案内する第１下案内部分とを有する第１案内部と、
前記第２上湾曲面に対応して設けられ、前記第１トレイ部材が前記第１位置と前記第２位置との間を移動するときに前記収容部内における前記第２上湾曲面の通過位置を円弧状の軌道に沿って案内する第２上案内部分と、前記第２下湾曲面に対応して設けられ、前記第１トレイ部材が前記第１位置と前記第２位置との間を移動するときに前記収容部内における前記第２下湾曲面の通過位置を円弧状の軌道に沿って案内する第２下案内部分とを有する第２案内部と
を有すること
を特徴とする搬送装置。
【発明の詳細な説明】
【技術分野】
【０００１】
本発明は、排出口から排出されるシートを支持するシートトレイ及び搬送装置に関する。
【背景技術】
【０００２】
プリンタ、ＦＡＸ、スキャナ等の装置には、シートトレイが設けられる。シートトレイは、装置から排出されたシートを整列して支持する。例えば特許文献１に記載の排紙トレイは、複数のトレイメンバを備える。複数のトレイメンバは、収納時には重合され、使用時にはテレスコープ状に引き出される。複数のトレイメンバは、夫々、側面視部分が円弧状に湾曲する上板を備える。複数のトレイメンバが引き出された状態において、排紙トレイの用紙案内面は、排出時に用紙を先に受ける基端側から先端側に向かって漸次上昇するように湾曲する。排紙トレイは、装置から排出された用紙を湾曲形状で減速し、用紙が排紙トレイを越えて前方に滑落する可能性を抑制する。
【先行技術文献】
【特許文献】
【０００３】
【特許文献１】特許第５２８３０７４号公報
【発明の概要】
【発明が解決しようとする課題】
【０００４】
ところで、用紙は、例えば装置における用紙の搬送方向先端側の角部に折り目を生じた状態で、装置に搬送される場合がある。特許文献１の排紙トレイの第１のトレイメンバは、用紙案内面による用紙の案内方向に直交する幅方向の大きさが、装置の幅方向の大きさと略同じ大きさである。故に装置から排出された用紙は、角部の折り目が少なくとも第１のトレイメンバの用紙案内面を擦りながら、排紙トレイ上を搬送される。
【０００５】
用紙案内面の先端側が上向きに上昇する場合、水平に配置された場合と比べると、用紙が用紙案内面から受ける搬送抵抗は大きい。先端側が上向きに上昇する用紙案内面上を、角部に折り目を生じた用紙が搬送される場合、用紙の搬送抵抗は、更に増大する。このため、排紙トレイは、装置から排出された用紙の整列性に影響を及ぼす可能性を生じた。
【０００６】
本発明の目的は、装置から排出されたシートの支持における整列性を確保できるシートトレイ及び搬送装置を提供することである。
【課題を解決するための手段】
【０００７】
本発明の第一態様によれば、装置の下部に設けられ、排出口から排出されるシートを支持するシートトレイであって、収容部と、前記収容部内に収容された状態において位置する第１位置と、前記収容部から引き出され、前記排出口から排出されるシートを受けられる状態において位置する第２位置との間で移動可能な第１トレイ部材とを備え、前記第１トレイ部材は、前記第１トレイ部材が前記第１位置と前記第２位置との間で移動する方向である移動方向に直交する幅方向において前記第１トレイ部材の中央の位置を含み、前記第１トレイ部材が前記第１位置にあるときに、前記第１位置における前記移動方向である引出方向に延び且つ上を向く第１平面を有する第１平坦部と、前記第１トレイ部材が前記第１位置にあるときに、下向きに湾曲しながら前記引出方向に延び、前記第１平坦部の前記幅方向の一端に隣接して形成され、且つ前記第１平面よりも下に位置し、上を向く第１上湾曲面と下を向く第１下湾曲面とを有する第１湾曲部と、前記第１トレイ部材が前記第１位置にあるときに、下向きに湾曲しながら前記引出方向に延び、前記第１平坦部の前記幅方向の他端に隣接して形成され、且つ前記第１平面よりも下に位置し、上を向く第２上湾曲面と下を向く第２下湾曲面とを有する第２湾曲部とを有し、前記収容部は、前記第１上湾曲面に対応して設けられ、前記第１トレイ部材が前記第１位置と前記第２位置との間を移動するときに前記収容部内における前記第１上湾曲面の通過位置を円弧状の軌道に沿って案内する第１上案内部分と、前記第１下湾曲面に対応して設けられ、前記第１トレイ部材が前記第１位置と前記第２位置との間を移動するときに前記収容部内における前記第１下湾曲面の通過位置を円弧状の軌道に沿って案内する第１下案内部分とを有する第１案内部と、前記第２上湾曲面に対応して設けられ、前記第１トレイ部材が前記第１位置と前記第２位置との間を移動するときに前記収容部内における前記第２上湾曲面の通過位置を円弧状の軌道に沿って案内する第２上案内部分と、前記第２下湾曲面に対応して設けられ、前記第１トレイ部材が前記第１位置と前記第２位置との間を移動するときに前記収容部内における前記第２下湾曲面の通過位置を円弧状の軌道に沿って案内する第２下案内部分とを有する第２案内部とを有することを特徴とするシートトレイが提供される。
【０００８】
第１トレイ部材が筐体から引き出されるとき、第１上湾曲面と第１下湾曲面は、夫々、第１上案内部分と第１下案内部分によって、筐体内における通過位置が円弧状の軌道に沿うように案内される。同様に、第２上湾曲面と第２下湾曲面は、夫々、第２上案内部分と第２下案内部分によって、筐体内における通過位置が円弧状の軌道に沿うように案内される。第１湾曲部と第２湾曲部が夫々下向きに湾曲するので、第１トレイ部材は、下向きに湾曲する円弧状の軌道に沿って、筐体から引き出される。故に、第１トレイ部材が第２位置に位置するとき、第１トレイ部材は筐体に対し、第１位置側よりも第２位置側ほど上方に位置することができる。第１トレイ部材は、排出口から排出されるシートを受ける際に、シートの幅方向中央部分を第１平面によって支持する。よって、例えば角部に折り目が生じたシートが排出口から排出された場合、角部の折り目は、幅方向において、第１上湾曲面又は第２上湾曲面の位置に存在する。第１上湾曲面と第２上湾曲面は、引出方向において下向きに凹む湾曲形状を有し、第１平面よりも下側に位置する。故に、シートトレイは、角部に折り目の生じたシートが第１トレイ部材上を移動する際に、角部が第１トレイ部材から受ける移動抵抗を軽減することができる。よってシートトレイは、角部に折り目が生じたシートを支持しても、シートの整列性に及ぼす影響を十分に抑制することができる。
【０００９】
第一態様において、前記第１上案内部分は、前記第１上湾曲面に対応する形状で下向きに湾曲しながら前記引出方向に延び、且つ下を向く第１上案内面を有してもよい。前記第１下案内部分は、前記第１下湾曲面に対応する形状で下向きに湾曲しながら前記引出方向に延び、且つ上を向く第１下案内面を有してもよい。前記第２上案内部分は、前記第２上湾曲面に対応する形状で下向きに湾曲しながら前記引出方向に延び、且つ下を向く第２上案内面を有してもよい。前記第２下案内部分は、前記第２下湾曲面に対応する形状で下向きに湾曲しながら前記引出方向に延び、且つ下を向く第２下案内面を有してもよい。
【００１０】
第１トレイ部材が収容部から引き出されるとき、第１上湾曲面と第１下湾曲面は、夫々、対応する形状を有する第１上案内面と第１下案内面によって、収容部内における通過位置が円弧状の軌道に沿うように案内される。同様に、第２上湾曲面と第２下湾曲面は、夫々、対応する形状を有する第２上案内面と第２下案内面によって、収容部内における通過位置が円弧状の軌道に沿うように案内される。故に、第１トレイ部材が第２位置に位置するとき、第１トレイ部材は収容部に対し、確実に、第１位置側よりも第２位置側ほど上方に位置することができる。
【００１１】
第一態様において、前記第１上湾曲面は、前記第１トレイ部材が前記第１位置にあるときに、前記引出方向に延びて上に突出し、前記第１上案内部分に摺動可能な第１リブを有してもよい。前記第２上湾曲面は、前記第１トレイ部材が前記第１位置にあるときに、前記引出方向に延びて上に突出し、前記第２上案内部分に摺動可能な第２リブを有してもよい。
【００１２】
第１トレイ部材が収容部から引き出されるとき、第１リブと第２リブは、夫々、第１上案内部分と第２上案内部分を摺動する。すなわち、第１リブと第２リブは、夫々、第１上湾曲面又は第２上湾曲面が第１上案内部分又は第２上案内部分との接触によって擦れることを防止することができる。
【００１３】
第一態様は、前記第１トレイ部材内に収容された状態において位置する第３位置と、前記第１トレイ部材から引き出され、前記第１トレイ部材を搬送されたシートを受けられる状態において位置する第４位置との間で移動可能な第２トレイ部材を更に備えてもよい。この場合に前記第２トレイ部材は、前記幅方向において前記第２トレイ部材の中央の位置を含み、前記第１トレイ部材が前記第１位置にあり且つ前記第２トレイ部材が前記第３位置にあるときに、前記引出方向に延び且つ上を向く第２平面を有する第２平坦部と、前記第１トレイ部材が前記第１位置にあり且つ前記第２トレイ部材が前記第３位置にあるときに、下向きに湾曲しながら前記引出方向に延び、前記第２平坦部の前記幅方向の一端に隣接して形成され、且つ前記第２平面よりも下に位置し、上を向く第３上湾曲面と下を向く第３下湾曲面とを有する第３湾曲部と、前記第１トレイ部材が前記第１位置にあり且つ前記第２トレイ部材が前記第３位置にあるときに、下向きに湾曲しながら前記引出方向に延び、前記第２平坦部の前記幅方向の他端に隣接して形成され、且つ前記第２平面よりも下に位置し、上を向く第４上湾曲面と下を向く第４下湾曲面とを有する第４湾曲部とを有してもよい。前記第１トレイ部材は、前記第３上湾曲面に対応して設けられ、前記第２トレイ部材が前記第３位置と前記第４位置との間を移動するときに前記第１トレイ部材内における前記第３上湾曲面の通過位置を円弧状の軌道に沿って案内する第３上案内部分と、前記第３下湾曲面に対応して設けられ、前記第２トレイ部材が前記第３位置と前記第４位置との間を移動するときに前記第１トレイ部材内における前記第３下湾曲面の通過位置を円弧状の軌道に沿って案内する第３下案内部分とを有する第３案内部と、前記第４上湾曲面に対応して設けられ、前記第２トレイ部材が前記第３位置と前記第４位置との間を移動するときに前記第１トレイ部材内における前記第４上湾曲面の通過位置を円弧状の軌道に沿って案内する第４上案内部分と、前記第４下湾曲面に対応して設けられ、前記第２トレイ部材が前記第３位置と前記第４位置との間を移動するときに前記第１トレイ部材内における前記第４下湾曲面の通過位置を円弧状の軌道に沿って案内する第４下案内部分とを有する第４案内部とを有してもよい。
【００１４】
第２トレイ部材が第１トレイ部材から引き出されるとき、第３上湾曲面と第３下湾曲面は、夫々、第３上案内部分と第３下案内部分によって、第１トレイ部材内における通過位置が円弧状の軌道に沿うように案内される。同様に、第４上湾曲面と第４下湾曲面は、夫々、第４上案内部分と第４下案内部分によって、第１トレイ部材内における通過位置が円弧状の軌道に沿うように案内される。第３湾曲部と第４湾曲部が夫々下向きに湾曲するので、第２トレイ部材は、下向きに湾曲する円弧状の軌道に沿って、第１トレイ部材から引き出される。故に、第２トレイ部材が第４位置に位置するとき、第２トレイ部材は第１トレイ部材に対し、第３位置側よりも第４位置側ほど上方に位置することができる。第２トレイ部材は、排出口から排出されるシートを受ける際に、シートの幅方向中央部分を第２平面によって支持する。よって、例えば角部に折り目が生じたシートがシートトレイ上を搬送された場合、角部の折り目は、幅方向において、第３上湾曲面又は第４上湾曲面の位置に存在する。第３上湾曲面と第４上湾曲面は、引出方向において下向きに凹む湾曲形状を有し、第２平面よりも下側に位置する。故に、シートトレイは、角部に折り目の生じたシートが第２トレイ部材上を移動する際に、角部が第２トレイ部材から受ける移動抵抗を軽減することができる。よってシートトレイは、角部に折り目が生じたシートを支持しても、シートの整列性に及ぼす影響を十分に抑制することができる。
【００１５】
第一態様において、前記第１トレイ部材が前記第１位置にあるときに、前記第３上案内部分は、前記第３上湾曲面に対応する形状で下向きに湾曲しながら前記引出方向に延び、且つ下を向く第３上案内面を有してもよい。  前記第３下案内部分は、前記第３下湾曲面に対応する形状で下向きに湾曲しながら前記引出方向に延び、且つ上を向く第３下案内面を有してもよい。  前記第４上案内部分は、前記第４上湾曲面に対応する形状で下向きに湾曲しながら前記引出方向に延び、且つ下を向く第４上案内面を有してもよい。  前記第４下案内部分は、前記第４下湾曲面に対応する形状で下向きに湾曲しながら前記引出方向に延び、且つ下を向く第４下案内面を有してもよい。
【００１６】
第２トレイ部材が第１トレイ部材から引き出されるとき、第３上湾曲面と第３下湾曲面は、夫々、対応する形状を有する第３上案内面と第３下案内面によって、第１トレイ部材内における通過位置が円弧状の軌道に沿うように案内される。同様に、第４上湾曲面と第４下湾曲面は、夫々、対応する形状を有する第４上案内面と第４下案内面によって、第１トレイ部材内における通過位置が円弧状の軌道に沿うように案内される。故に、第２トレイ部材が第４位置に位置するとき、第２トレイ部材は第１トレイ部材に対し、確実に、第３位置側よりも第４位置側ほど上方に位置することができる。
【００１７】
第一態様において、前記第３上湾曲面は、前記第１トレイ部材が前記第１位置にあり且つ前記第２トレイ部材が前記第３位置にあるときに、前記引出方向に延びて上に突出し、前記第３上案内部分に摺動可能な第３リブを有してもよい。前記第４上湾曲面は、前記第１トレイ部材が前記第１位置にあり且つ前記第２トレイ部材が前記第３位置にあるときに、前記引出方向に延びて上に突出し、前記第４上案内部分に摺動可能な第４リブを有してもよい。
【００１８】
第２トレイ部材が第１トレイ部材から引き出されるとき、第３リブと第４リブは、夫々、第３案内部分と第４案内部分を摺動する。すなわち、第３リブと第４リブは、夫々、第３上湾曲面又は第４上湾曲面が第３上案内部分又は第４上案内部分との接触によって擦れることを防止することができる。
【００１９】
第一態様において、前記第２平面の前記幅方向の長さは、前記第１平面の前記幅方向の長さ以下であってもよい。
【００２０】
例えば角部に折れ目の生じたシートがシートトレイを搬送された場合に、第１トレイ部材の第１上湾曲面又は第２上湾曲面に接触しながら搬送された折れ目が、第２トレイ部材の第２平面に接触することを防止することができる。
【００２１】
本発明の第二態様によれば、装置の下部に設けられ、排出口から排出されるシートを支持するシートトレイを備えた搬送装置であって、前記シートトレイは、収容部と、前記収容部内に収容された状態において位置する第１位置と、前記収容部から引き出され、前記排出口から排出されるシートを受けられる状態において位置する第２位置との間で移動可能な第１トレイ部材とを備え、前記第１トレイ部材は、前記第１トレイ部材が前記第１位置と前記第２位置との間で移動する方向である移動方向に直交する幅方向において前記第１トレイ部材の中央の位置を含み、前記第１トレイ部材が前記第１位置にあるときに、前記第１位置における前記移動方向である引出方向に延び且つ上を向く第１平面を有する第１平坦部と、前記第１トレイ部材が前記第１位置にあるときに、下向きに湾曲しながら前記引出方向に延び、前記第１平坦部の前記幅方向の一端に隣接して形成され、且つ前記第１平面よりも下に位置し、上を向く第１上湾曲面と下を向く第１下湾曲面とを有する第１湾曲部と、前記第１トレイ部材が前記第１位置にあるときに、下向きに湾曲しながら前記引出方向に延び、前記第１平坦部の前記幅方向の他端に隣接して形成され、且つ前記第１平面よりも下に位置し、上を向く第２上湾曲面と下を向く第２下湾曲面とを有する第２湾曲部とを有し、前記収容部は、前記第１上湾曲面に対応して設けられ、前記第１トレイ部材が前記第１位置と前記第２位置との間を移動するときに前記収容部内における前記第１上湾曲面の通過位置を円弧状の軌道に沿って案内する第１上案内部分と、前記第１下湾曲面に対応して設けられ、前記第１トレイ部材が前記第１位置と前記第２位置との間を移動するときに前記収容部内における前記第１下湾曲面の通過位置を円弧状の軌道に沿って案内する第１下案内部分とを有する第１案内部と、前記第２上湾曲面に対応して設けられ、前記第１トレイ部材が前記第１位置と前記第２位置との間を移動するときに前記収容部内における前記第２上湾曲面の通過位置を円弧状の軌道に沿って案内する第２上案内部分と、前記第２下湾曲面に対応して設けられ、前記第１トレイ部材が前記第１位置と前記第２位置との間を移動するときに前記収容部内における前記第２下湾曲面の通過位置を円弧状の軌道に沿って案内する第２下案内部分とを有する第２案内部とを有することを特徴とする搬送装置が提供される。
【００２２】
第１トレイ部材が収容部から引き出されるとき、第１上湾曲面と第１下湾曲面は、夫々、第１上案内部分と第１下案内部分によって、収容部内における通過位置が円弧状の軌道に沿うように案内される。同様に、第２上湾曲面と第２下湾曲面は、夫々、第２上案内部分と第２下案内部分によって、収容部内における通過位置が円弧状の軌道に沿うように案内される。第１湾曲部と第２湾曲部が夫々下向きに湾曲するので、第１トレイ部材は、下向きに湾曲する円弧状の軌道に沿って、収容部から引き出される。故に、第１トレイ部材が第２位置に位置するとき、第１トレイ部材は収容部に対し、第１位置側よりも第２位置側ほど上方に位置することができる。第１トレイ部材は、排出口から排出されるシートを受ける際に、シートの幅方向中央部分を第１平面によって支持する。よって、例えば角部に折り目が生じたシートが排出口から排出された場合、角部の折り目は、幅方向において、第１上湾曲面又は第２上湾曲面の位置に存在する。第１上湾曲面と第２上湾曲面は、引出方向において下向きに凹む湾曲形状を有し、第１平面よりも下側に位置する。故に、シートトレイは、角部に折り目の生じたシートが第１トレイ部材上を移動する際に、角部が第１トレイ部材から受ける移動抵抗を軽減することができる。よって搬送装置は、角部に折り目が生じたシートをシートトレイで支持しても、シートの整列性に及ぼす影響を十分に抑制することができる。
【図面の簡単な説明】
【００２３】
【図１】画像読取装置１の斜視図である。
【図２】図１のＩ−Ｉ線において矢視方向から見た画像読取装置１の縦断面図である。
【図３】トレイ収容部５から第１トレイ部材６〜第３トレイ部材８を引き出したシートトレイ２の斜視図である。
【図４】トレイ収容部５から第１トレイ部材６〜第３トレイ部材８を引き出した画像読取装置１の右側面図である。
【図５】トレイ収容部５から第１トレイ部材６〜第３トレイ部材８を引き出した画像読取装置１の平面図である。
【図６】トレイ収容部５から第１トレイ部材６〜第３トレイ部材８を引き出した画像読取装置１の底面図である。
【図７】トレイ収容部５から第１トレイ部材６を引き出し、図５のＩＩ−ＩＩ線において矢視方向から見た状態に相当する画像読取装置１の縦断面図である。
【図８】第１トレイ部材６から第２トレイ部材７を引き出し、図５のＩＩＩ−ＩＩＩ線において矢視方向から見た状態に相当する画像読取装置１の縦断面図である。
【図９】第２トレイ部材７から第３トレイ部材８を引き出し、図５のＩＶ−ＩＶ線において矢視方向から見た状態に相当するシートトレイ２の縦断面図である。
【図１０】トレイ収容部１０５から第１トレイ部材６を引き出した画像読取装置１０１の縦断面図である。
【発明を実施するための形態】
【００２４】
以下、本発明の一実施形態について、図面を参照して説明する。参照する図面は、本発明が採用し得る技術的特徴を説明するために用いられるものである。図面に記載されている装置の構成は、それのみに限定する趣旨ではなく、単なる説明例である。以下の説明では、図１の上方、下方、左方斜め上方、右方斜め下方、左方斜め下方、及び右方斜め上方を、夫々、画像読取装置１の上方、下方、左方、右方、前方、及び後方とする。なお、以下の説明で、所定の方向に対して「沿う」「延びる」などの記載は、その所定の方向に平行に「沿う」「延びる」形態だけでなく、その所定の方向の成分を含む他の方向に「沿う」「延びる」形態も含むものとする。例えば、「前方向に延びる」との表現は、右上前方向や左下前方向など、前方向の成分を含んだ他の方向に延びる構成も含む。画像読取装置１は、本発明に係る搬送装置の一例である。
【００２５】
図１、図２に示すように、画像読取装置１は、本体部１０、シートトレイ２、給紙トレイ３を備える。シートトレイ２は、本体部１０の下部に設けられる。給紙トレイ３は、本体部１０の後部に設けられる。本体部１０は、第１本体部１１、第２本体部１２を有する。第１本体部１１及び第２本体部１２の夫々の形状は、略箱状である。第１本体部１１は、本体部１０の搬送経路２０（後述）より下側の部分を構成する。第２本体部１２は、第１本体部１１に対して上側から重なり、本体部１０の搬送経路２０より上側の部分を構成する。第１本体部１１は、下部前側に、左右方向に延びる軸部（図示略）を有する。第２本体部１２は、軸部によって、第１本体部１１に対し軸部周りに開閉可能に支持される。
【００２６】
第２本体部１２は上面１２Ａを有する。上面１２Ａは、本体部１０の上側の面を形成する。上面１２Ａには、操作パネル１３及び操作ボタン１４が設けられる。操作パネル１３は、前面にタッチパネルを備えた液晶ディスプレイである。タッチパネルは、指又は専用のタッチペン等を用いた操作の入力を受け付ける。液晶ディスプレイには、コマンド、イラスト、設定値、メッセージ等の様々な項目を含む画面が表示される。操作ボタン１４は、画像読取装置１に対する指示を入力することが可能な押ボタンである。操作パネル１３及び操作ボタン１４は、制御部１５（図２参照）と電気的に接続する。制御部１５は、第１本体部１１の下部に配置される。制御部１５は、画像読取装置１の制御を司るＣＰＵを含む。本体部１０の後側上部で、第１本体部１１と第２本体部１２との対向部には、シートの供給口１６が形成される。本体部１０の前側下部で、第１本体部１１と第２本体部１２との対向部には、シートの排出口１７が形成される。
【００２７】
第１本体部１１と第２本体部１２との上下方向における間の位置には、シートが搬送される搬送経路２０（図２参照）が形成される。搬送経路２０は、画像読取装置１がシートを取り込んで画像を読み取る過程で、シートが通過する面に対応する。搬送経路２０は、供給口１６及び排出口１７によって本体部１０の外側と繋がる。搬送経路２０は、第１本体部１１の上面と、第２本体部１２の下面との間に定義される。
【００２８】
給紙トレイ３は、Ａ４サイズ、レターサイズ等の薄紙又は厚紙からなるシートを供給口１６から搬送経路２０に供給する。給紙トレイ３は略板形状であり、第１本体部１１の上部後側から後方斜め上方に向けて延びる。給紙トレイ３は、上側の面に、複数のシートを載せることができる。給紙トレイ３は複数段に形成され、後方斜め上方に引き出すことで大きいサイズのシートを載せることができる。
【００２９】
図２に示すように、第１本体部１１は、供給ローラ９０、搬送ローラ９１、及び排出ローラ９２を備える。供給ローラ９０、搬送ローラ９１、及び排出ローラ９２は、搬送経路２０に沿って、後方斜め上方から前方斜め下方に順番に並ぶ。供給ローラ９０は、円柱状である。供給ローラ９０の軸方向は、夫々、左右方向を向く。供給ローラ９０の上側に位置する外周部分は、搬送経路２０に向けて第１本体部１１の上面から突出する。供給ローラ９０は、駆動モータ（図示略）の駆動に応じ、右側面視、反時計回りに回転する。搬送ローラ９１及び排出ローラ９２は、夫々、円柱状であり、同一形状を有する。搬送ローラ９１及び排出ローラ９２の軸方向は、夫々、左右方向を向く。搬送ローラ９１及び排出ローラ９２は、駆動モータ（図示略）の駆動に応じ、夫々、右側面視、反時計回りに回転する。搬送ローラ９１及び排出ローラ９２夫々の上側に位置する外周部分は、搬送経路２０に向けて第１本体部１１の上面から突出する。
【００３０】
第２本体部１２は、リバースローラ９５、従動ローラ９６及び従動ローラ９７を備える。リバースローラ９５及び従動ローラ９６，９７は、後方斜め上側から前方斜め下側に順番に並ぶ。リバースローラ９５は円柱状である。リバースローラ９５の直径は、供給ローラ９０の直径よりも小さい。リバースローラ９５の軸方向は左右方向を向く。リバースローラ９５は、供給ローラ９０に対して上側に配置される。リバースローラ９５の下側に位置する外周部分は、搬送経路２０に向けて第２本体部１２の下面から突出する。第２本体部１２が第１本体部１１に対し閉じた状態にある場合、搬送経路２０において、リバースローラ９５と供給ローラ９０は接触する。リバースローラ９５は、駆動モータ（図示略）の駆動に応じ、右側面視、反時計回りのトルクを受ける。給紙トレイ３から供給ローラ９０とリバースローラ９５との間に複数のシートが配置された場合、供給ローラ９０とリバースローラ９５の回転によって複数のシートから１枚のシートが分離され、搬送経路２０に供給される。供給ローラ９０とリバースローラ９５との間に一枚のシートが配置された場合、又は、シートが配置されない場合、リバースローラ９５は、トルクリミッタ（図示略）の作用によって、摩擦力に従い時計回りに回転する。
【００３１】
従動ローラ９６，９７は、夫々円柱状であり、同一形状を有する。従動ローラ９６，９７の軸方向は、夫々、左右方向を向く。従動ローラ９６，９７の回転軸は、第２本体部１２に回転可能に支持される。従動ローラ９６，９７夫々の下側に位置する外周部分は、搬送経路２０に向けて第２本体部１２の下面から突出する。従動ローラ９６，９７は、夫々、搬送ローラ９１及び排出ローラ９２に対して上側に配置される。従動ローラ９６，９７は、夫々、搬送ローラ９１及び排出ローラ９２に向けて付勢される。従動ローラ９６，９７は、夫々、搬送ローラ９１及び排出ローラ９２の回転に従動し、右側面視、時計回りに回転する。
【００３２】
以下、搬送経路２０に沿った方向を「搬送方向」という。搬送方向は、概して、前方斜め下方と後方斜め上方との間に亘って延びる方向に対応する。ただし、搬送方向は、搬送経路２０に沿った方向であるため、第１本体部１１の上面と第２本体部１２の下面との形状に対応し、直線方向として定義されなくてもよい。即ち、搬送方向は、搬送経路２０における位置に応じて、前後、上下、左右方向に対する向きの関係が変化してもよい。搬送方向のうち、搬送経路２０における供給口１６側を「上流」という。搬送方向のうち、搬送経路２０における排出口１７側を「下流」という。
【００３３】
第１本体部１１は、画像読取部９３を備える。第２本体部１２は、画像読取部９４を備える。画像読取部９３，９４は、夫々、周知の接触型イメージセンサである。画像読取部９３は、搬送方向において搬送ローラ９１と排出ローラ９２の間に設けられる。画像読取部９４は、搬送方向において従動ローラ９６と従動ローラ９７の間に設けられる。画像読取部９３，９４は、夫々、左右方向にライン状に延びる。画像読取部９３，９４は、夫々、と電気的に接続する。画像読取部９３は、搬送経路２０に沿って上流から下流に向けて搬送されるシートの下面を読み取る。画像読取部９４は、搬送経路２０に沿って上流から下流に向けて搬送されるシートの上面を読み取る。画像読取部９３，９４は、読み取った画像のデータを制御部１５に出力する。
【００３４】
図１、図２に示すように、シートトレイ２は、第１本体部１１の下部に設けられる。シートトレイ２は、搬送経路２０に沿って搬送され、排出口１７から本体部１０の外部に排出されるシートを受ける。即ち、シートトレイ２は、排紙トレイである。シートトレイ２は、トレイ収容部５、第１トレイ部材６、第２トレイ部材７、及び、第３トレイ部材８を有する（図２参照）。第１トレイ部材６〜第３トレイ部材８は、排出口１７から排出されるシートを支持する板状のトレイである。第２トレイ部材７は、第３トレイ部材８を収容することができる。第１トレイ部材６は、第２トレイ部材７を収容することができる。トレイ収容部５は、第１トレイ部材６を収容することができる。即ち、トレイ収容部５は、例えば画像読取装置１の非使用時に、第１トレイ部材６〜第３トレイ部材８を収容することができる。図２は、トレイ収容部５に第１トレイ部材６が収容され、第１トレイ部材６に第２トレイ部材７が収容され、第２トレイ部材７に第３トレイ部材８が収容された状態を示す。第１トレイ部材６がトレイ収容部５に完全に収容された状態において、第１トレイ部材６の位置を「第１位置」という。また、第２トレイ部材７が第１トレイ部材６に完全に収容された状態において、第２トレイ部材７の位置を「第３位置」という（図２参照）。第１トレイ部材６が第１位置にあるとき、第１トレイ部材６はトレイ収容部５内に位置する。第１トレイ部材６が第１位置にあり、且つ第２トレイ部材７が第３位置にあるとき、第１トレイ部材６と第２トレイ部材７は、トレイ収容部５内に位置する。
【００３５】
図３〜図６に示すように、第１トレイ部材６〜第３トレイ部材８は、例えば画像読取装置１の使用時に、夫々、トレイ収容部５から引き出すことができる。図３〜図６は、トレイ収容部５から第１トレイ部材６が引き出され、第１トレイ部材６から第２トレイ部材７が引き出され、第２トレイ部材７から第３トレイ部材８が引き出された状態を示す。第１トレイ部材６がトレイ収容部５から完全に引き出された状態において、第１トレイ部材６の位置を「第２位置」という（図４参照）。また、第２トレイ部材７が第１トレイ部材６から完全に引き出された状態において、第２トレイ部材７の位置を「第４位置」という（図４参照）。
【００３６】
なお、第３位置、第４位置とは、第１トレイ部材６に対する第２トレイ部材７の位置を、夫々、相対的に定義したものである。第３位置及び第４位置は、いずれも、トレイ収容部５の位置に応じて特定される位置ではない。例えば、第２トレイ部材７が第３位置に位置するからといって、第１トレイ部材６は、必ずしも第１位置に位置するとは限らず、第２位置、あるいは第１位置と第２位置との間の位置に、位置する場合もある。言い換えると、第１トレイ部材６が第１位置にある場合、第２トレイ部材７が第３位置に位置すれば、第２トレイ部材７は、トレイ収容部５内に位置する。一方、第１トレイ部材６が第２位置にある場合、第２トレイ部材７が第３位置に位置しても、第２トレイ部材７は、トレイ収容部５内には位置しない。即ち、第２トレイ部材７が第３位置にある状態とは、トレイ収容部５と第１トレイ部材６との位置関係に拠らず、単に、第２トレイ部材７が第１トレイ部材６内に収容されている状態であることを示したものに過ぎない。同様に、第２トレイ部材７が第４位置に位置するからといって、第１トレイ部材６は必ずしも第２位置に位置するとは限らず、第１位置、あるいは第１位置と第２位置との間の位置に、位置する場合もある。また、第２トレイ部材７が、トレイ収容部５と第１トレイ部材６との位置関係に拠らず、第３位置と第４位置との間に位置する場合もある。
【００３７】
以下の説明では、第１トレイ部材６及び第２トレイ部材７がトレイ収容部５から引き出される過程、又は収容される過程において移動する方向を「移動方向」という。後述するが、第１トレイ部材６及び第２トレイ部材７の移動方向は、夫々、円弧状の軌道に沿う方向である。第１トレイ部材６は、移動方向に沿って、第１位置と第２位置との間を移動することができる。第２トレイ部材７は、移動方向に沿って、第３位置と第４位置との間を移動することができる。また、移動方向のうち、第１トレイ部材６が第１位置にあるときに、第１トレイ部材６がトレイ収容部５から引き出される方向を「引出方向」という。言い換えると、引出方向は、第１トレイ部材６の移動方向において、第１位置における接線の向く方向である。本実施形態において、引出方向は画像読取装置１の前方であり、上下方向に直交する。
【００３８】
トレイ収容部５について説明する。トレイ収容部５は、第１本体部１１の下部に組み付けられる（図２参照）。トレイ収容部５は、天壁部５０、左側壁部５１、右側壁部５２、後壁部５３及び突出部５４を有する略箱状の部材である。天壁部５０は、前後左右に延びる略矩形で板状の部材である。天壁部５０の前端部には、上方に突出する突出部５４が設けられる。図２に示すように、突出部５４は、排出口１７の下方に配置される。突出部５４は、垂直壁部５４Ａと垂直壁部５４Ａの上部から前部に向けて傾斜する傾斜壁部５４Ｂを備える。
突出部５４の前端部には、上下左右に延びる略矩形の開口部５４Ｃが形成される。第１トレイ部材６は開口部５４Ｃから移動方向に沿って引き出し可能である。トレイ収容部５の後部には、天壁部５０と直交し、左右方向に延びる後壁部５３が設けられる。後壁部５３は略矩形で板状の壁部であり、トレイ収容部５の後部を閉鎖する。図３〜図６に示すように、トレイ収容部５の左右両端部には、夫々、天壁部５０と直交し、前後方向に延びる左側壁部５１と右側壁部５２が設けられる（図６参照）。左側壁部５１及び右側壁部５２は略矩形で板状の壁部であり、トレイ収容部５の右側部と左側部を夫々閉鎖する。左側壁部５１及び右側壁部５２の前端部は、夫々、開口部５４Ｃの境界を定義する。
【００３９】
トレイ収容部５は、天壁部５０、左側壁部５１、右側壁部５２及び後壁部５３で構成する箱体の内部に、第１トレイ部材６を収容することができる。図６に示すように、天壁部５０の下面と左側壁部５１の右側面には、第１案内部５７が設けられる。第１案内部５７は、第１トレイ部材６の第１湾曲部６５（後述）を案内する。第１案内部５７は、第１上案内面５７Ａと第１下案内面５７Ｂとを含む。本実施形態の第１上案内面５７Ａは、下向きに凸に湾曲しながら前後方向に延び、且つ下を向く湾曲面である（図７参照）。第１上案内面５７Ａの湾曲形状は、例えば円弧状であって、第１湾曲部６５の第１上湾曲面６５Ａ（後述）に対応する形状である。天壁部５０の左端部分には、下方に膨らんで厚みを有し、前後方向に延びる第１膨出部５０Ａが設けられる。第１上案内面５７Ａは、第１膨出部５０Ａの下面によって構成される。第１上案内面５７Ａは、第１トレイ部材６が移動方向に移動する際に、トレイ収容部５内における第１上湾曲面６５Ａの通過位置を円弧状の軌道に沿って案内する。
【００４０】
本実施形態の第１下案内面５７Ｂは、下向きに凸に湾曲しながら前後方向に延び、且つ上を向く湾曲面である（図７参照）。第１下案内面５７Ｂの湾曲形状は、例えば円弧状であって、第１湾曲部６５の第１下湾曲面６５Ｂ（後述）に対応する形状である。左側壁部５１の右側面には、右方に突出する第１突出部５７Ｃが形成される。第１突出部５７Ｃは、下向きに凸に湾曲しながら前後方向に延びる。第１下案内面５７Ｂは、第１突出部５７Ｃの上面によって構成される。第１下案内面５７Ｂは、第１トレイ部材６が移動方向に移動する際に、トレイ収容部５内における第１下湾曲面６５Ｂの通過位置を円弧状の軌道に沿って案内する。第１上案内面５７Ａと第１下案内面５７Ｂとの間には、第１湾曲部６５の左端部の厚みに対応する間隙が設けられる。
【００４１】
天壁部５０の下面と右側壁部５２の左側面には、第２案内部５８が設けられる。第２案内部５８は、第１トレイ部材６の第２湾曲部６６（後述）を案内する。第２案内部５８は、第２上案内面５８Ａと第２下案内面５８Ｂとを含む。本実施形態の第２上案内面５８Ａは、第１上案内面５７Ａと同様に、下向きに凸に湾曲しながら前後方向に延び、且つ下を向く湾曲面である。第２上案内面５８Ａの湾曲形状は、例えば円弧状であって、第２湾曲部６６の第２上湾曲面６６Ａ（後述）に対応する形状である。天壁部５０の右端部分には、下方に膨らんで厚みを有し、前後方向に延びる第２膨出部５０Ｂが設けられる。第２上案内面５８Ａは、第２膨出部５０Ｂの下面によって構成される。第２上案内面５８Ａは、第１トレイ部材６が移動方向に移動する際に、トレイ収容部５内における第２上湾曲面６６Ａの通過位置を円弧状の軌道に沿って案内する。
【００４２】
本実施形態の第２下案内面５８Ｂは、第１下案内面５７Ｂと同様に、下向きに凸に湾曲しながら前後方向に延び、且つ上を向く湾曲面である。第２下案内面５８Ｂの湾曲形状は、例えば円弧状であって、第２湾曲部６６の第２下湾曲面６６Ｂ（後述）に対応する形状である。右側壁部５２の左側面には、左方に突出する第２突出部５８Ｃが形成される。第２突出部５８Ｃは、下向きに凸に湾曲しながら前後方向に延びる。第２下案内面５８Ｂは、第２突出部５８Ｃの上面によって構成される。第２下案内面５８Ｂは、第１トレイ部材６が移動方向に移動する際に、トレイ収容部５内における第２下湾曲面６６Ｂの通過位置を円弧状の軌道に沿って案内する。第２上案内面５８Ａと第２下案内面５８Ｂとの間には、第２湾曲部６６の右端部の厚みに対応する間隙が設けられる。
【００４３】
また、天壁部５０の下面で第１膨出部５０Ａの右側には、前後方向に沿って複数の係合部５０Ｃが設けられる。係合部５０Ｃは断面三角形状で、夫々下向きに突出する。第１トレイ部材６の第１湾曲部６５の後端部には、突出部６５Ｃが設けられる。突出部６５Ｃは断面三角形状で、上向きに突出する。同様に、天壁部５０の下面で第２膨出部５０Ｂの左側には、前後方向に沿って複数の係合部５０Ｄが設けられる。係合部５０Ｄは断面三角形状で、夫々下向きに突出する。第１トレイ部材６の第２湾曲部６６の後端部には、突出部６６Ｃが設けられる。突出部６６Ｃは断面三角形状で、上向きに突出する。第１トレイ部材６の第１位置と第２位置との間での移動において、突出部６５Ｃ，６６Ｃは、夫々、いずれかの係合部５０Ｃ，５０Ｄと係合することができる。突出部６５Ｃ，６６Ｃは係合部５０Ｃ，５０Ｄと係合することによって、移動方向において、第１トレイ部材６をトレイ収容部５に対して位置決めする。
【００４４】
第１トレイ部材６について説明する。図３〜図７に示すように、第１トレイ部材６は、第１平坦部６０、左側壁部６１、右側壁部６２、第１湾曲部６５、第２湾曲部６６、前壁部６４及び後壁部６３を有する略箱状の部材である。以下では、第１トレイ部材６の各部位に対する方向の説明を、第１トレイ部材６が第１位置にある場合（図２参照）の画像読取装置１の方向を基準に行うものとする。
【００４５】
第１平坦部６０は、第１平面６０Ａを有する。第１平面６０Ａは、引出方向（図４参照）に延び且つ上を向く平面である（図２参照）。本実施形態では、第１平面６０Ａは、前後左右方向に延びる。第１平面６０Ａは、第１トレイ部材６の左右方向における中央の位置を含む位置に設けられる。第１平面６０Ａは、平面視、略矩形状を有する。第１平面６０Ａには、上方に突出し、前後方向に延びる複数のリブ６０Ｂが形成されている。第１平面６０Ａは、第１トレイ部材６が第１位置から引き出された位置（例えば第２位置）にある場合に、排出口１７から排出されるシートを受ける。第１平面６０Ａの左右方向の長さは、第１平面６０Ａが受けるシートの搬送方向に直交する幅方向の長さより短く、シートの角部を受けない大きさであると好ましい。例えば、第１平面６０Ａの左右方向の長さは、画像読取装置１が搬送可能な最大のシート（例えば、Ａ４サイズ、レターサイズ）の幅方向の長さの１／２〜２／３であるとよい。複数のリブ６０Ｂは、シートと第１平面６０Ａとの接触面積を小さくし、シートにかかる搬送抵抗を低減する。
【００４６】
第１湾曲部６５は、第１平坦部６０の左端部に隣接して設けられる。第１湾曲部６５は左方に突出して形成され、第１平面６０Ａよりも下に位置する。第１湾曲部６５は、下向きに凸に湾曲しながら前後方向に延びる。第１湾曲部６５は、第１上湾曲面６５Ａと第１下湾曲面６５Ｂを有する。第１上湾曲面６５Ａは、下向きに凸に湾曲しながら前後方向に延び、且つ上を向く湾曲面である。第１上湾曲面６５Ａの湾曲形状は、例えば、円弧状である。第１トレイ部材６が移動方向に移動する際に、トレイ収容部５内における第１上湾曲面６５Ａの通過位置は、第１上案内面５７Ａによって円弧状の軌道に沿って案内される。第１下湾曲面６５Ｂは、下向きに凸に湾曲しながら前後方向に延び、且つ下を向く湾曲面である。第１下湾曲面６５Ｂの湾曲形状は、例えば、円弧状である。第１トレイ部材６が移動方向に移動する際に、トレイ収容部５内における第１下湾曲面６５Ｂの通過位置は、第１下案内面５７Ｂによって円弧状の軌道に沿って案内される。
【００４７】
第１上湾曲面６５Ａには、上方に突出し、前後方向に延びる２つの第１リブ６５Ｄが形成されている。２つの第１リブ６５Ｄは、第１トレイ部材６が移動方向に移動する際に、第１上湾曲面６５Ａと、トレイ収容部５の第１上案内面５７Ａとの接触を制限し、第１上湾曲面６５Ａの摩耗を抑制する。
【００４８】
第２湾曲部６６は、第１平坦部６０の右端部に隣接して設けられる。第２湾曲部６６は右方に突出して形成され、第１平面６０Ａよりも下に位置する。第２湾曲部６６は、下向きに凸に湾曲しながら前後方向に延びる。第２湾曲部６６は、第２上湾曲面６６Ａと第２下湾曲面６６Ｂを有する。第２上湾曲面６６Ａは、下向きに凸に湾曲しながら前後方向に延び、且つ上を向く湾曲面である。第２上湾曲面６６Ａの湾曲形状は、例えば、円弧状である。第１トレイ部材６が移動方向に移動する際に、トレイ収容部５内における第２上湾曲面６６Ａの通過位置は、第２上案内面５８Ａによって円弧状の軌道に沿って案内される。第２下湾曲面６６Ｂは、下向きに凸に湾曲しながら前後方向に延び、且つ下を向く湾曲面である。第２下湾曲面６６Ｂの湾曲形状は、例えば、円弧状である。第１トレイ部材６が移動方向に移動する際に、トレイ収容部５内における第２下湾曲面６６Ｂの通過位置は、第２下案内面５８Ｂによって円弧状の軌道に沿って案内される。
【００４９】
第２上湾曲面６６Ａには、上方に突出し、前後方向に延びる２つの第２リブ６６Ｄが形成されている。２つの第２リブ６６Ｄは、第１トレイ部材６が移動方向に移動する際に、第２上湾曲面６６Ａと、トレイ収容部５の第２上案内面５８Ａとの接触を制限し、第２上湾曲面６６Ａの摩耗を抑制する。
【００５０】
図６に示すように、第１湾曲部６５には、第１平坦部６０の左端部に沿って複数の係合部６５Ｅが設けられる。係合部６５Ｅは断面三角形状で、夫々、第１下湾曲面６５Ｂよりも下向きに突出する（図８参照）。第２トレイ部材７の第３湾曲部７５の後端部には、突出部７５Ｃが設けられる。突出部７５Ｃは断面三角形状で、上向きに突出する。同様に、第２湾曲部６６には、第１平坦部６０の右端部に沿って複数の係合部６６Ｅが設けられる。係合部６６Ｅは断面三角形状で、第２下湾曲面６６Ｂよりも下向きに突出する。第２トレイ部材７の第４湾曲部７６の後端部には、突出部７６Ｃが設けられる。突出部７６Ｃは断面三角形状で、上向きに突出する。第２トレイ部材７の第３位置と第４位置との間での移動において、突出部７５Ｃ，７６Ｃは、夫々、いずれかの係合部６５Ｅ，６６Ｅと係合することができる。突出部７５Ｃ，７６Ｃは係合部６５Ｅ，６６Ｅと係合することによって、移動方向において、第２トレイ部材７を第１トレイ部材６に対して位置決めする。
【００５１】
第１平坦部６０、第１湾曲部６５及び第２湾曲部６６の後端部には、第１平坦部６０と直交し、左右方向に延びる後壁部６３が設けられる。後壁部６３は略矩形で板状の壁部であり、第１トレイ部材６の後部を閉鎖する。第１湾曲部６５及び第２湾曲部６６の夫々の前端部には、一対の前壁部６４が設けられる。一対の前壁部６４は、夫々、第１平坦部６０と直交する平面に対して傾斜し、左右方向に延びる。一対の前壁部６４は、夫々、第１トレイ部材６の前部を閉鎖する。第１湾曲部６５側の前壁部６４は、右下角部が略矩形に切り欠かれている。第２湾曲部６６側の前壁部６４は、左下角部が略矩形に切り欠かれている。前壁部６４の切り欠き部分と、第１平坦部６０の前端部は、開口部６４Ａの境界を定義する。開口部６４Ａは、上下左右に延びる略矩形状である。第２トレイ部材７は開口部６４Ａから移動方向に沿って引き出し可能である。
【００５２】
第１湾曲部６５の係合部６５Ｅよりも左側には、第１下湾曲面６５Ｂから下方に突出し、前後方向に延びる左側壁部６１が設けられる。第１湾曲部６５の左端部は、左側壁部６１よりも左方に突出する。第２湾曲部６６の係合部６６Ｅよりも右側には、第２下湾曲面６６Ｂから下方に突出し、前後方向に延びる右側壁部６２が設けられる。第２湾曲部６６の右端部は、右側壁部６２よりも右方に突出する。左側壁部６１及び右側壁部６２は略矩形で板状の壁部であり、第１トレイ部材６の左側部と右側部を夫々閉鎖する。
【００５３】
第１トレイ部材６は、第１平坦部６０、左側壁部６１、右側壁部６２及び後壁部６３で構成する部分の内部に、第２トレイ部材７を収容することができる。第１湾曲部６５の第１下湾曲面６５Ｂと左側壁部６１の右側面には、第３案内部６７が設けられる。第３案内部６７は、第２トレイ部材７の第３湾曲部７５を案内する。第３案内部６７は、第３上案内面６７Ａと第３下案内面６７Ｂとを含む。本実施形態の第３上案内面６７Ａは、下向きに凸に湾曲しながら前後方向に延び、且つ下を向く湾曲面である（図８参照）。第３上案内面６７Ａの湾曲形状は、第３湾曲部７５の第３上湾曲面７５Ａに対応する形状である。第１湾曲部６５は、係合部６５Ｅと左側壁部６１との間の部分に、下方に膨らんで厚みを有し、前後方向に延びる第３膨出部６５Ｆを有する。第３上案内面６７Ａは、第３膨出部６５Ｆの下面によって構成される。第３上案内面６７Ａは、第２トレイ部材７が移動方向に移動する際に、第１トレイ部材６内における第３上湾曲面７５Ａの通過位置を円弧状の軌道に沿って案内する。
【００５４】
本実施形態の第３下案内面６７Ｂは、下向きに凸に湾曲しながら前後方向に延び、且つ上を向く湾曲面である（図８参照）。第３下案内面６７Ｂの湾曲形状は、第３湾曲部７５の第３下湾曲面７５Ｂに対応する形状である。左側壁部６１の右側面には、右方に突出する第３突出部６７Ｃが形成される。第３突出部６７Ｃは、下向きに凸に湾曲しながら前後方向に延びる。第３下案内面６７Ｂは、第３突出部６７Ｃの上面によって構成される。第３下案内面６７Ｂは、第２トレイ部材７が移動方向に移動する際に、第１トレイ部材６内における第３下湾曲面７５Ｂの通過位置を円弧状の軌道に沿って案内する。第３上案内面６７Ａと第３下案内面６７Ｂとの間には、第３湾曲部７５の左端部の厚みに対応する間隙が設けられる。
【００５５】
第２湾曲部６６の第２下湾曲面６６Ｂと右側壁部６２の左側面には、第４案内部６８が設けられる。第４案内部６８は、第２トレイ部材７の第４湾曲部７６を案内する。第４案内部６８は、第４上案内面６８Ａと第４下案内面６８Ｂとを含む。本実施形態の第４上案内面６８Ａは、第３上案内面６７Ａと同様に、下向きに凸に湾曲しながら前後方向に延び、且つ下を向く湾曲面である。第４上案内面６８Ａの湾曲形状は、第４湾曲部７６の第４上湾曲面７６Ａに対応する形状である。第２湾曲部６６は、係合部６６Ｅと右側壁部６２との間の部分に、下方に膨らんで厚みを有し、前後方向に延びる第４膨出部６６Ｆを有する。第４上案内面６８Ａは、第４膨出部６６Ｆの下面によって構成される。第４上案内面６８Ａは、第２トレイ部材７が移動方向に移動する際に、第１トレイ部材６内における第４上湾曲面７６Ａの通過位置を円弧状の軌道に沿って案内する。
【００５６】
本実施形態の第４下案内面６８Ｂは、第３下案内面６７Ｂと同様に、下向きに凸に湾曲しながら前後方向に延び、且つ上を向く湾曲面である。第４下案内面６８Ｂの湾曲形状は、第４湾曲部７６の第４下湾曲面７６Ｂに対応する形状である。右側壁部６２の左側面には、左方に突出する第４突出部６８Ｃが形成される。第４突出部６８Ｃは、下向きに凸に湾曲しながら前後方向に延びる。第４下案内面６８Ｂは、第４突出部６８Ｃの上面によって構成される。第４下案内面６８Ｂは、第２トレイ部材７が移動方向に移動する際に、第１トレイ部材６内における第４下湾曲面７６Ｂの通過位置を円弧状の軌道に沿って案内する。第４上案内面６８Ａと第４下案内面６８Ｂとの間には、第４湾曲部７６の右端部の厚みに対応する間隙が設けられる。
【００５７】
第２トレイ部材７について説明する。図３〜図６、図８に示すように、第２トレイ部材７は、第２平坦部７０、左側壁部７１、右側壁部７２、第３湾曲部７５、第４湾曲部７６及び前壁部７４を有する略箱状の部材である。以下では、第２トレイ部材７の各部位に対する方向の説明を、第１トレイ部材６が第１位置にあり、且つ第２トレイ部材７が第３位置にある場合（図２参照）の画像読取装置１の方向を基準に行うものとする。
【００５８】
第２平坦部７０は、第２平面７０Ａを有する。第２平面７０Ａは、引出方向（図４参照）に延び且つ上を向く平面である（図２参照）。本実施形態では、第２平面７０Ａは、前後左右方向に延びる。第２平面７０Ａは、第２トレイ部材７の左右方向における中央の位置を含む位置に設けられる。第２平面７０Ａは、平面視、略矩形状を有する。第２平面７０Ａの左右方向の長さは、第１平面６０Ａの左右方向の長さよりも短い（図５参照）。なお、第２平面７０Ａの左右方向の長さは、第１平面６０Ａの左右方向の長さと同じであってもよい。第２平面７０Ａは、第２トレイ部材７が第３位置から引き出された位置（例えば第４位置）にある場合に、排出口１７から排出され、第１トレイ部材６上を移動するシートを受ける。
【００５９】
第２平坦部７０の左端部と右端部には、夫々、下方に突出し、前後方向に延びる左側壁部７１と右側壁部７２が設けられる。左側壁部７１及び右側壁部７２は略矩形で板状の壁部であり、第２トレイ部材７の左側部と右側部を夫々閉鎖する。
【００６０】
第３湾曲部７５は、左側壁部７１から左方に突出して形成される。第３湾曲部７５は、第２平坦部７０の左端部に隣接して設けられ、第２平面７０Ａよりも下に位置する。第３湾曲部７５は、下向きに凸に湾曲しながら前後方向に延びる。第３湾曲部７５は、第３上湾曲面７５Ａと第３下湾曲面７５Ｂを有する。第３上湾曲面７５Ａは、下向きに凸に湾曲しながら前後方向に延び、且つ上を向く湾曲面である。第３上湾曲面７５Ａの湾曲形状は、例えば、円弧状である。第２トレイ部材７が移動方向に移動する際に、第１トレイ部材６内における第３上湾曲面７５Ａの通過位置は、第３上案内面６７Ａによって円弧状の軌道に沿って案内される。第３下湾曲面７５Ｂは、下向きに凸に湾曲しながら前後方向に延び、且つ下を向く湾曲面である。第３下湾曲面７５Ｂの湾曲形状は、例えば、円弧状である。第２トレイ部材７が移動方向に移動する際に、第１トレイ部材６内における第３下湾曲面７５Ｂの通過位置は、第３下案内面６７Ｂによって円弧状の軌道に沿って案内される。
【００６１】
第３上湾曲面７５Ａには、上方に突出し、前後方向に延びる第３リブ７５Ｄが形成されている。第３リブ７５Ｄは、第２トレイ部材７移動方向に移動する際に、第３上湾曲面７５Ａと、第１トレイ部材６の第３上案内面６７Ａとの接触を制限し、第３上湾曲面７５Ａの摩耗を抑制する。
【００６２】
第４湾曲部７６は、右側壁部７２から右方に突出して形成される。第４湾曲部７６は、第２平坦部７０の右端部に隣接して設けられ、第２平面７０Ａよりも下に位置する。第４湾曲部７６は、下向きに凸に湾曲しながら前後方向に延びる。第４湾曲部７６は、第４上湾曲面７６Ａと第４下湾曲面７６Ｂを有する。第４上湾曲面７６Ａは、下向きに凸に湾曲しながら前後方向に延び、且つ上を向く湾曲面である。第４上湾曲面７６Ａの湾曲形状は、例えば、円弧状である。第２トレイ部材７が移動方向に移動する際に、第１トレイ部材６内における第４上湾曲面７６Ａの通過位置は、第４上案内面６８Ａによって円弧状の軌道に沿って案内される。第４下湾曲面７６Ｂは、下向きに凸に湾曲しながら前後方向に延び、且つ下を向く湾曲面である。第４下湾曲面７６Ｂの湾曲形状は、例えば、円弧状である。第２トレイ部材７が移動方向に移動する際に、第１トレイ部材６内における第４下湾曲面７６Ｂの通過位置は、第４下案内面６８Ｂによって円弧状の軌道に沿って案内される。
【００６３】
第４上湾曲面７６Ａには、上方に突出し、前後方向に延びる第４リブ７６Ｄが形成されている。第４リブ７６Ｄは、第２トレイ部材７が移動方向に移動する際に、第４上湾曲面７６Ａと、第１トレイ部材６の第４上案内面６８Ａとの接触を制限し、第４上湾曲面７６Ａの摩耗を抑制する。
【００６４】
図６、図９に示すように、第２平坦部７０の下面には、前後方向に沿って複数の係合部７０Ｂが設けられる。係合部７０Ｂは、左右方向において夫々一対に形成される。係合部７０Ｂは断面三角形状で、夫々下向きに突出する。第３トレイ部材８の第３平坦部８０の後端部には、一対の突出部８０Ｃが設けられる。突出部８０Ｃは断面三角形状で、上向きに突出する。第３トレイ部材８の移動方向への移動において、一対の突出部８０Ｃは、いずれかの一対の係合部７０Ｂと係合することができる。突出部８０Ｃは係合部７０Ｂと係合することによって、移動方向において、第３トレイ部材８を第２トレイ部材７に対して位置決めする。
【００６５】
図６に示すように、第３湾曲部７５及び第４湾曲部７６の夫々の前端部には、一対の前壁部７４が設けられる。一対の前壁部７４は、夫々、第２平坦部７０と直交する平面に対して傾斜し、左右方向に延びる。一対の前壁部７４は、夫々、第２トレイ部材７の前部を閉鎖する。第３湾曲部７５側の前壁部７４の右端部と、第４湾曲部７６側の前壁部７４の左端部と、第２平坦部７０の前端部は、開口部７４Ａの境界を定義する。開口部７４Ａは、上下左右に延びる略矩形状である。第３トレイ部材８は開口部７４Ａから移動方向に沿って引き出し可能である。なお、第３トレイ部材８の移動方向は、第２平坦部７０の第２平面７０Ａに沿う方向である。
【００６６】
第２トレイ部材７は、第２平坦部７０、左側壁部７１及び右側壁部７２で構成する部分の内部に、第３トレイ部材８を収容することができる。第２平坦部７０の左端部と左側壁部７１には、第５案内部７７が設けられる。第５案内部７７は、第５膨出部７０Ｃと、第５突出部７１Ａとを含む。第５膨出部７０Ｃは、第２平坦部７０の左端部に設けられ、下方に台状に突出し、前後方向に延びる。第５突出部７１Ａは、左側壁部７１に設けられ、右方に突出し、前後方向に延びる。第５突出部７１Ａと第５膨出部７０Ｃとの間には、第３トレイ部材８の左端部の厚みに対応する間隙が設けられる。第３トレイ部材８の左端部は、第５膨出部７０Ｃの下面と、第５突出部７１Ａの上面との間に配置される。第５膨出部７０Ｃの下面は、下を向く平面である（図９参照）。第５突出部７１Ａの上面は、上を向く平面である（図９参照）。第３トレイ部材８が移動方向に移動する際に、第５案内部７７は、第２トレイ部材７内における第３トレイ部材８の左端部の通過位置を、直線状の軌道に沿って案内する。
【００６７】
第２平坦部７０の右端部と右側壁部７２には、第６案内部７８が設けられる。第６案内部７８は、第６膨出部７０Ｄと、第６突出部７２Ａとを含む。第６膨出部７０Ｄは、第２平坦部７０の右端部に設けられ、下方に台状に突出し、前後方向に延びる。第６突出部７２Ａは、右側壁部７２に設けられ、左方に突出し、前後方向に延びる。第６突出部７２Ａと第６膨出部７０Ｄとの間には、第３トレイ部材８の右端部の厚みに対応する間隙が設けられる。第３トレイ部材８の右端部は、第６膨出部７０Ｄの下面と、第６突出部７２Ａの上面との間に配置される。第６膨出部７０Ｄの下面は、下を向く平面である（図９参照）。第６突出部７２Ａの上面は、上を向く平面である（図９参照）。第３トレイ部材８が移動方向に移動する際に、第６案内部７８は、第２トレイ部材７内における第３トレイ部材８の右端部の通過位置を、直線状の軌道に沿って案内する。
【００６８】
第３トレイ部材８について説明する。図３〜図６、図９に示すように、第２トレイ部材７は、第３平坦部８０及び把持部８１を有する板状の部材である。以下では、第３トレイ部材８の各部位に対する方向の説明を、第１トレイ部材６が第１位置にあり、第２トレイ部材７が第３位置にあり、且つ第３トレイ部材８が第２トレイ部材７に収容された場合（図２参照）の画像読取装置１の方向を基準に行うものとする。
【００６９】
第３平坦部８０は、第３平面８０Ａを有する。第３平面８０Ａは、引出方向（図４参照）に延び且つ上を向く平面である（図２参照）。本実施形態では、第３平面８０Ａは、前後左右方向に延びる。第３平面８０Ａは、第３トレイ部材８の左右方向における中央の位置を含む位置に設けられる。第３平面８０Ａは、平面視、略矩形状を有する。第３平面８０Ａの左右方向の長さは、第２平面７０Ａの左右方向の長さよりも短い（図５参照）。なお、第３平面８０Ａの左右方向の長さは、第２平面７０Ａの左右方向の長さと同じであってもよい。第３平面８０Ａには、上方に突出し、前後方向に延びる複数のリブ８０Ｂが形成されている。第３平面８０Ａは、第３トレイ部材８が第２トレイ部材７から引き出された状態で、排出口１７から排出され、第１トレイ部材６及び第２トレイ部材７上を移動するシートを受ける。複数のリブ８０Ｂは、シートと第３平面８０Ａとの接触面積を小さくし、シートにかかる搬送抵抗を低減する。第３平坦部８０の裏面にはハニカム構造のリブが形成され、第３平坦部８０の強度が確保されている。
【００７０】
第３平坦部８０の前端部には、引き起こし可能な把持部８１が設けられる。把持部８１の下端部は、左右方向に延びる軸に支持され、第３平坦部８０の前端部に接続される。把持部８１には、使用者が指先を引っ掛ける凹部８１Ａが形成されている。把持部８１は、排出口１７から排出され、第１トレイ部材６上、第２トレイ部材７上及び第３平坦部８０上を移動するシートを制止する。把持部８１を引き起こした場合に後側を向く面には、左右方向に延びる複数のリブ（図示略）が形成されている。複数のリブは、シートの搬送方向下流側の端部を位置決めし、シートトレイ２上でのシートの整列を補助する。
【００７１】
次に、シートトレイ２の引き出し動作を説明する。図１、図２に示すように、画像読取装置１においては、トレイ収容部５内に、第１トレイ部材６、第２トレイ部材７、第３トレイ部材８が収容されている。使用時、把持部８１の凹部８１Ａに使用者の指が挿入され、把持部８１が引き起こされる。把持部８１が引出方向に引かれると、第３トレイ部材８が引出方向に移動しようとする。詳細は省略するが、第３トレイ部材８の突出部８０Ｃと、第２トレイ部材７の係合部７０Ｂとの係合状態は、第２トレイ部材７の突出部７５Ｃ，７６Ｃと、第１トレイ部材６の係合部６５Ｅ，６６Ｅとの係合状態よりも維持されやすい構成である。よって、第３トレイ部材８が引出方向に移動しようとすると、第２トレイ部材７は第３トレイ部材８と一体に引出方向に移動しようとする。詳細は省略するが、第２トレイ部材７の突出部７５Ｃ，７６Ｃと、第１トレイ部材６の係合部６５Ｅ，６６Ｅとの係合状態は、第１トレイ部材６の突出部６５Ｃ，６６Ｃと、トレイ収容部５の係合部５０Ｃ，５０Ｄとの係合状態よりも維持されやすい構成である。よって、第２トレイ部材７が引出方向に移動しようとすると、第１トレイ部材６は第２トレイ部材７と一体に引出方向に移動しようとする。第１トレイ部材６の突出部６５Ｃ，６６Ｃと、トレイ収容部５の係合部５０Ｃ，５０Ｄとの係合が外れると、第３トレイ部材８と第２トレイ部材７と第１トレイ部材６とが一体に引出方向に移動する。
【００７２】
図６に示すように、第１トレイ部材６は、第１湾曲部６５の左端部と第２湾曲部６６の右端部が、夫々、トレイ収容部５の第１案内部５７と第２案内部５８に案内されつつ移動する。第１湾曲部６５の第１上湾曲面６５Ａと第１下湾曲面６５Ｂは、夫々、第１案内部５７の第１上案内面５７Ａと第１下案内面５７Ｂに案内される。第１上湾曲面６５Ａ、第１下湾曲面６５Ｂ、第１上案内面５７Ａ、及び第１下案内面５７Ｂは、何れも、下向きに凸に湾曲する面である。同様に、第２湾曲部６６の第２上湾曲面６６Ａと第２下湾曲面６６Ｂは、夫々、第２案内部５８の第２上案内面５８Ａと第２下案内面５８Ｂに案内される。第２上湾曲面６６Ａ、第２下湾曲面６６Ｂ、第２上案内面５８Ａ、及び第２下案内面５８Ｂは、何れも、下向きに凸に湾曲する面である。従って、第１湾曲部６５の第１上湾曲面６５Ａ及び第１下湾曲面６５Ｂと、第２湾曲部６６の第２上湾曲面６６Ａ及び第２下湾曲面６６Ｂとは、夫々、トレイ収容部５内における通過位置が、円弧状の軌道に沿って案内される。図７に示すように、第１トレイ部材６は、下向きに湾曲する円弧状の軌道に沿って、トレイ収容部５内から引き出された状態になり、第１位置から第２位置に移動する。第１トレイ部材６が第２位置に位置するとき、第１トレイ部材６はトレイ収容部５に対し、第１位置側よりも第２位置側ほど上方に位置することができる。第１トレイ部材６が第２位置に位置するとき、第１トレイ部材６は、前側を上に配置して、第１位置に対して例えば８．５度傾いた状態で配置される。故に第１トレイ部材６は、シートが高速で排出されても、シートがシートトレイ２からはみ出すことを防止することができる。よって第１トレイ部材６は、シートの支持における整列性を確保することができる。第１トレイ部材６内には、第３トレイ部材８を収容した第２トレイ部材７が収容されている。
【００７３】
把持部８１が更に引出方向に引かれても、第２位置に位置する第１トレイ部材６は、それ以上、前方に移動しない。第２トレイ部材７の突出部７５Ｃ，７６Ｃと、第１トレイ部材６の係合部６５Ｅ，６６Ｅとの係合が外れることによって、第３トレイ部材８と第２トレイ部材とが一体に引出方向に移動する。図６に示すように、第２トレイ部材７は、第３湾曲部７５の左端部と第４湾曲部７６の右端部が、夫々、第１トレイ部材６の第３案内部６７と第４案内部６８に案内されつつ移動する。第３湾曲部７５の第３上湾曲面７５Ａと第３下湾曲面７５Ｂは、夫々、第３案内部６７の第３上案内面６７Ａと第３下案内面６７Ｂに案内される。第３上湾曲面７５Ａ、第３下湾曲面７５Ｂ、第３上案内面６７Ａ、及び第３下案内面６７Ｂは、何れも、下向きに凸に湾曲する面である。同様に、第４湾曲部７６の第４上湾曲面７６Ａと第４下湾曲面７６Ｂは、夫々、第４案内部６８の第４上案内面６８Ａと第４下案内面６８Ｂに案内される。第４上湾曲面７６Ａ、第４下湾曲面７６Ｂ、第４上案内面６８Ａ、及び第４下案内面６８Ｂは、何れも、下向きに凸に湾曲する面である。従って、第３湾曲部７５の第３上湾曲面７５Ａ及び第３下湾曲面７５Ｂと、第４湾曲部７６の第４上湾曲面７６Ａ及び第４下湾曲面７６Ｂとは、夫々、第１トレイ部材６内における通過位置が、円弧状の軌道に沿って案内される。図９に示すように、第２トレイ部材７は、下向きに湾曲する円弧状の軌道に沿って、第１トレイ部材６内から引き出された状態になり、第３位置から第４位置に移動する。第２トレイ部材７が第４位置に位置するとき、第２トレイ部材７は第１トレイ部材６に対し、第３位置側よりも第４位置側ほど上方に位置することができる。第１トレイ部材６が第１位置にあり且つ第２トレイ部材７が第４位置に位置するとき、第２トレイ部材７は、前側を第１トレイ部材６よりも上に配置して、第３位置に対して例えば５．５度傾いた状態で配置される。前述したように、第１トレイ部材６は、第２位置において、第１位置よりも例えば８．５度傾いた状態で配置される。従って、第１トレイ部材６が第２位置にあり且つ第２トレイ部材７が第４位置にある場合、第２トレイ部材７は、トレイ収容部５に収納時の角度に対し、例えば１４度傾いた状態に配置される。故に第２トレイ部材７は、シートが高速で排出されても、シートがシートトレイ２からはみ出すことを防止することができる。よって第２トレイ部材７は、シートの支持における整列性を確保することができる。第２トレイ部材７内には、第３トレイ部材８が収容されている。
【００７４】
把持部８１が更に引出方向に引かれても、第４位置に位置する第２トレイ部材７は、それ以上、前方に移動しない。第３トレイ部材８の突出部８０Ｃと、第２トレイ部材７の係合部７０Ｂとの係合が外れることによって、第３トレイ部材８が引出方向に移動する。図６に示すように、第３トレイ部材８は、第３平坦部８０の左端部と右端部が、夫々、第２トレイ部材７の第５案内部７７と第６案内部７８に案内されつつ移動する。第５案内部７７と第６案内部７８は、第３平坦部８０を直線状の軌道に沿って案内する。第３トレイ部材８の把持部８１は、更に上方に配置される。図３、図４に示すように、第１トレイ部材６〜第３トレイ部材８が引き出されると、第１平面６０Ａ、第２平面７０Ａ、及び第３平面８０Ａは、夫々斜面状に配置される。
【００７５】
シート読み取り時の画像読取装置１の動作について説明する。給紙トレイ３に複数のシートが載置される。操作パネル１３又は操作ボタン１４が操作され、制御部１５に読み取りの指示が行われる。複数のシートからリバースローラ９５によって１枚のシートが分離される。分離されたシートは、供給ローラ９０によって供給口１６から搬送経路２０に供給され、搬送経路２０に沿って搬送される。シートは、搬送ローラ９１及び従動ローラ９６によって画像読取部９３，９４に対向する位置に搬送される。画像読取部９３，９４は、上流から下流に向けて搬送されるシートの表面及び裏面の画像データを各々読み取る。画像読取部９３，９４は、読み取った画像データを制御部１５に出力する。シートは、排出ローラ９２及び従動ローラ９７によって、排出口１７から第１トレイ部材６の第１平面６０Ａに向けて排出される。
【００７６】
シートは、左右方向の中央部分が第１平面６０Ａのリブ６０Ｂに支持されて、第１平面６０Ａ上を第２トレイ部材７に向けて移動する。例えば搬送方向下流側の角部に折り目が生じたシートが排出口１７から排出された場合、角部の折り目は、左右方向において、第１湾曲部６５の第１上湾曲面６５Ａ又は第２湾曲部６６の第２上湾曲面６６Ａの位置に存在する。第１上湾曲面６５Ａ及び第２上湾曲面６６Ａは、下向きに凸に湾曲し、且つ第１平面６０Ａよりも下に位置する。例えば、角部の折り目の大きさが、上下方向において、第１上湾曲面６５Ａ又は第２上湾曲面６６Ａの凹みの大きさより小さい場合、角部の折り目は第１上湾曲面６５Ａ又は第２上湾曲面６６Ａに接触しない。一方、角部の折り目の大きさが、上下方向において、第１上湾曲面６５Ａ又は第２上湾曲面６６Ａの凹みの大きさ以上の場合、角部の折り目は第１上湾曲面６５Ａ又は第２上湾曲面６６Ａに接触する。シートは第１平面６０Ａに支持されている。このため、角部の折り目が第１上湾曲面６５Ａ又は第２上湾曲面６６Ａに接触することによってシートが変形する変形量は、角部の折り目が第１平面６０Ａに接触する場合と比べて小さい。故に、角部の折り目が第１上湾曲面６５Ａ又は第２上湾曲面６６Ａに接触することで、シートが受ける移動抵抗は、第１上湾曲面６５Ａ及び第２上湾曲面６６Ａがない場合と比べて小さい。このように、第１トレイ部材６は、角部に折り目の生じたシートが第１トレイ部材６上を移動する際に、角部が第１トレイ部材６から受ける移動抵抗を軽減することができる。よって第１トレイ部材６は、角部に折り目が生じたシートを支持しても、シートの整列性に及ぼす影響を十分に抑制することができる。
【００７７】
第１トレイ部材６上を移動したシートは、第２トレイ部材７上に移動する。第２平面７０Ａの左右方向の長さは、第１平面６０Ａの左右方向の長さよりも短い。故に、シートが第１トレイ部材６上から第２トレイ部材７上に移動するとき、シートの搬送方向下流側の角部は、第２平面７０Ａ上に乗り上げにくい。例えば角部に折れ目の生じたシートが第１トレイ部材６上を移動する場合、第１上湾曲面６５Ａ又は第２上湾曲面６６Ａに接触しながら搬送された折れ目が、第２トレイ部材７の第２平面７０Ａに接触することを防止することができる。
【００７８】
シートは、左右方向の中央部分が第２平面７０Ａに支持されて、第１平面６０Ａ上を第３トレイ部材８に向けて移動する。例えば搬送方向下流側の角部に折り目が生じたシートが第１トレイ部材６から移動された場合、角部の折り目は、左右方向において、第３湾曲部７５の第３上湾曲面７５Ａ又は第４湾曲部７６の第４上湾曲面７６Ａの位置に存在する。第３上湾曲面７５Ａ及び第４上湾曲面７６Ａは、下向きに凸に湾曲し、且つ第２平面７０Ａよりも下に位置する。例えば、角部の折り目の大きさが、上下方向において、第３上湾曲面７５Ａ又は第４上湾曲面７６Ａの凹みの大きさより小さい場合、角部の折り目は第３上湾曲面７５Ａ又は第４上湾曲面７６Ａに接触しない。一方、角部の折り目の大きさが、上下方向において、第３上湾曲面７５Ａ又は第４上湾曲面７６Ａの凹みの大きさ以上の場合、角部の折り目は第３上湾曲面７５Ａ又は第４上湾曲面７６Ａに接触する。シートは第２平面７０Ａに支持されている。このため、角部の折り目が第３上湾曲面７５Ａ又は第４上湾曲面７６Ａに接触することによってシートが変形する変形量は、角部の折り目が第２平面７０Ａに接触する場合と比べて小さい。故に、角部の折り目が第３上湾曲面７５Ａ又は第４上湾曲面７６Ａに接触することで、シートが受ける移動抵抗は、第３上湾曲面７５Ａ及び第４上湾曲面７６Ａがない場合と比べて小さい。このように、第２トレイ部材７は、角部に折り目の生じたシートが第２トレイ部材７上を移動する際に、角部が第２トレイ部材７から受ける移動抵抗を軽減することができる。よって第２トレイ部材７は、角部に折り目が生じたシートを支持しても、シートの整列性に及ぼす影響を十分に抑制することができる。
【００７９】
第２トレイ部材７上を移動したシートは、第３トレイ部材８上に移動する。シートは、第３平面８０Ａのリブ８０Ｂに支持されて、把持部８１へ向けて移動する。第３平面８０Ａの左右方向の長さは、第２平面７０Ａの左右方向の長さよりも短い。故に、シートが第２トレイ部材７上から第３トレイ部材８上に移動するとき、シートの搬送方向下流側の角部は、第３平面８０Ａ上に乗り上げにくい。
【００８０】
シートは、搬送方向下流側の端部が把持部８１に当接すると、把持部８１によって、第３トレイ部材８上の移動が制止される。また、シートは、斜面状に配置された第１平面６０Ａ、第２平面７０Ａ及び第３平面８０Ａに支持されて上方へ移動する。故に第３トレイ部材８は、シートが高速で排出されても、シートがシートトレイ２からはみ出すことを防止することができる。よって第３トレイ部材８は、シートの支持における整列性を確保することができる。また、シートが高速で排出されても、把持部８１に設けられた複数のリブによって、シートの搬送方向下流側の端部が位置決めされる。故に、第３トレイ部材８は、シートの支持における整列性を確保することができる。
【００８１】
なお本発明は上記実施形態に限定されず、種々の変更が可能である。例えば、画像読取装置１は、シートの搬送機能のみを有する装置であってもよい。この場合、画像読取装置１は画像読取部９３，９４を有していなくてもよい。シートは紙に限られず、合成樹脂製のシート（例えば、プラスチックカード）等でもよい。
【００８２】
トレイ収容部５の第１案内部５７は、第１上案内面５７Ａと第１下案内面５７Ｂによって、第１トレイ部材６の第１湾曲部６５の第１上湾曲面６５Ａと第１下湾曲面６５Ｂを夫々案内した。これに限らず、例えば図１０に示す画像読取装置１０１のように、第１湾曲部６５を、球面又は曲面を有する、少なくとも１つ以上の突起部で支持し、案内してもよい。画像読取装置１０１のシートトレイ１０２のトレイ収容部１０５は、天壁部１５０の左端部の下面に、前後方向に並ぶ複数の突起部１５０Ａを備える。突起部１５０Ａは、左右方向に厚みを有し、下端部が弧状に形成される。トレイ収容部１０５は、左側壁部１５１の右側面に、前後方向に並ぶ複数の突起部１５７Ｃを備える。突起部１５７Ｃは、左右方向に厚みを有し、上端部が弧状に形成される。突起部１５０Ａと突起部１５７Ｃは夫々対をなして設けられ、上下方向に第１湾曲部６５の厚みに相当する間隙を有する。突起部１５０Ａと突起部１５７Ｃとが、第１案内部１５７を構成する。複数の突起部１５０Ａは、第１上湾曲面６５Ａの湾曲形状に対応し、下端が第１上湾曲面６５Ａの円弧状の通過位置に位置するように配置される。複数の突起部１５７Ｃは、第１下湾曲面６５Ｂの湾曲形状に対応し、上端が第１下湾曲面６５Ｂの円弧状の通過位置に位置するように配置される。このように、第１案内部１５７は、第１上湾曲面６５Ａと第１下湾曲面６５Ｂとを、夫々、面でなく、点もしくは線で接する突起部１５０Ａと突起部１５７Ｃとで案内してもよい。第２案内部５８、第３案内部６７、第４案内部６８についても第１案内部１５７と同様である。また、突起部１５０Ａ、突起部１５７Ｃの代わりに、左右方向を軸方向とするローラを設けてもよい。
【００８３】
第２トレイ部材７は、第３トレイ部材８の第３平坦部８０を直線状の軌道に沿って案内したが、円弧状の軌道に沿って案内してもよい。この場合、第３トレイ部材８にも、第３平坦部８０に隣接して下向きに凸に湾曲する湾曲部を第３平坦部８０よりも下の位置に設けてもよい。
【００８４】
トレイ収容部５は、第１本体部１１の下部に組み付けられる構成（即ち、第１本体部１１と別体の構成）に限定されない。即ち、トレイ収容部５は、第１本体部１１の下部に、一体的に形成されてもよい。例えば、天壁部５０、左側壁部５１、右側壁部５２、後壁部５３、第１案内部５７及び第２案内部５８に相当する構成が、第１本体部１１の下部に形成されてもよい。この場合、第１本体部１１の下部が、シートトレイ２の一部、即ち、トレイ収容部５として作用することとなる。
【００８５】
本発明においては、画像読取装置１が、本発明の「搬送装置」に相当する。すなわち、「搬送装置」は、シートを搬送し、シートトレイ２に排出する機能を備えた装置であればよい。例えば、搬送装置は、インクジェットプリンタ、レーザプリンタ、ファクシミリ、コピー機などであってもよい。トレイ収容部５が、本発明の「収容部」に相当する。左右方向が、本発明の「幅方向」に相当する。前後方向が、本発明の「引出方向」に相当する。第１膨出部５０Ａが、本発明の「第１上案内部分」に相当する。第１突出部５７Ｃが、本発明の「第１下案内部分」に相当する。第２膨出部５０Ｂが、本発明の「第２上案内部分」に相当する。第２突出部５８Ｃが、本発明の「第２下案内部分」に相当する。
【符号の説明】
【００８６】
１                            画像読取装置
２                            シートトレイ
５                            トレイ収容部
６                            第１トレイ部材
７                            第２トレイ部材
１７                          排出口
５０Ａ                        第１膨出部
５０Ｂ                        第２膨出部
５７                          第１案内部
５７Ａ                        第１上案内面
５７Ｂ                        第１下案内面
５７Ｃ                        第１突出部
５８                          第２案内部
５８Ａ                        第２上案内面
５８Ｂ                        第２下案内面
５８Ｃ                        第２突出部
６０                          第１平坦部
６０Ａ                        第１平面
６５                          第１湾曲部
６５Ａ                        第１上湾曲面
６５Ｂ                        第１下湾曲面
６５Ｄ                        第１リブ
６５Ｆ                        第３膨出部
６６                          第２湾曲部
６６Ａ                        第２上湾曲面
６６Ｂ                        第２下湾曲面
６６Ｄ                        第２リブ
６６Ｆ                        第４膨出部
６７                          第３案内部
６７Ａ                        第３上案内面
６７Ｂ                        第３下案内面
６７Ｃ                        第３突出部
６８                          第４案内部
６８Ａ                        第４上案内面
６８Ｂ                        第４下案内面
６８Ｃ                        第４突出部
７０                          第２平坦部
７０Ａ                        第２平面
７５                          第３湾曲部
７５Ａ                        第３上湾曲面
７５Ｂ                        第３下湾曲面
７５Ｄ                        第３リブ
７６                          第４湾曲部
７６Ａ                        第４上湾曲面
７６Ｂ                        第４下湾曲面
７６Ｄ                        第４リブ
【図１】
2017013952.tif 000003
【図２】
2017013952.tif 000004
【図３】
2017013952.tif 000005
【図４】
2017013952.tif 000006
【図５】
2017013952.tif 000007
【図６】
2017013952.tif 000008
【図７】
2017013952.tif 000009
【図８】
2017013952.tif 000010
【図９】
2017013952.tif 000011
【図１０】
2017013952.tif 000012